(57)【要約】      （修正有）【課題】風呂上がりのヒートショックの発生を抑制するため、風呂上がりに浴室内で身体を拭いて衣服を着ることができるように衣服やタオル等を収納可能な風呂用蓋を提供する。【解決手段】風呂用蓋１は、少なくとも二つ以上の板状部２と、少なくとも二つ以上の連結部３を備える。相隣接する板状部２が板状部２の夫々の一主面が略平面となるよう連結部３を介して連結され、且つ相隣接する板状部２が一主面側に連結部３を支点として折り畳める。少なくとも一つの連結部３Ａが他の連結部３Ｂよりも板状部２の連結方向に長く、板状部２の連結方向に長い連結部３Ａと連結部３Ａを支点として折り畳まれる相隣接する板状部２によって収納スペース６が形成される。収納スペース６に着替え用の衣服やタオル、バスマット等の収納物１１を収納することができる。【選択図】図３
0003229822.tif 000002
【実用新案登録請求の範囲】
【請求項１】
相隣接する板状部が該板状部の夫々の一主面が略平面となるよう連結部を介して連結され、且つ相隣接する板状部が前記一主面側に前記連結部を支点として折り畳める、少なくとも二つ以上の連結部を備えた風呂用蓋であって、
少なくとも一つの連結部が他の連結部よりも前記板状部の連結方向に長く、
前記板状部の連結方向に長い連結部と該連結部を支点として折り畳まれる相隣接する板状部によって収納スペースが形成される、ことを特徴とする風呂用蓋。
【請求項２】
前記収納スペースを形成する相隣接する板状部の夫々の前記一主面を対向させたときの間隔を５０ｍｍ以上とすることができる、ことを特徴とする請求項１に記載の風呂用蓋。
【請求項３】
前記板状部の連結方向に長い連結部は、前記板状部の連結方向の端に位置する、ことを特徴とする請求項１又は２に記載の風呂用蓋。
【請求項４】
前記収納スペースを形成する相隣接する板状部の一方及び／又は他方の板状部の側面に着脱可能に設けられるカバーであって、前記収納スペースを側方から塞ぐカバーをさらに含む、をさらに備える、ことを特徴とする請求項１〜３のいずれか一項に記載の風呂用蓋。
【考案の詳細な説明】
【技術分野】
【０００１】
本考案は、浴槽の上部開口を覆うための風呂用蓋に関し、風呂上がりのヒートショックの発生を抑制するために好適な風呂用蓋に関する。
【背景技術】
【０００２】
ヒートショックは、住環境における急激な温度差により血圧が大きく変動することで失神や心筋梗塞、脳梗塞等を引き起こし、身体へ悪影響を及ぼす現象である。ヒートショックは特に冬季における入浴の際に多く見られ、寒い脱衣室と暖かい浴室との行き来に伴う寒暖差によりヒートショックが生じやすい。特に風呂上がりのヒートショックによる死亡件数は年間に数千人を超えると言われている。
【０００３】
ヒートショック防止対策として、脱衣室に暖房器具を設置することが従来から提案されている。しかしこの方法では、暖房器具の稼動コストがかかるうえ、脱衣室の壁に据置きの暖房機を新たに設置すると設置費用がかかり、ストーブや電気ヒーター等を脱衣室に置くと衣服やタオル等への引火による火災の危険性がある。
【０００４】
これに対して特許文献１には、浴室内は浴槽の蓋を外してお湯を張る、シャワー状態でお湯を張る等することで暖かくすることができるため、浴室の壁に衣服を収納するための棚を設け、風呂上がりに寒い脱衣室ではなく暖かい浴室内で衣服を着るようにすることで、ヒートショックの発生確率を低下させることが記載されている。
【先行技術文献】
【特許文献】
【０００５】
【特許文献１】特開2019-141548号公報
【考案の概要】
【考案が解決しようとする課題】
【０００６】
特許文献１に記載の方法では、浴室の壁に棚をわざわざ設置する必要がある。そのうえ、入浴中にシャワーを使用した際にシャワーの水が衣服に飛び散って衣服が濡れるおそれがある。
【０００７】
本考案は、風呂上がりのヒートショックの発生を抑制するために考え出されたものであり、風呂上がりに浴室内で身体を拭いて衣服を着ることができるように衣服やタオル等を収納可能な風呂用蓋を提供することを目的とする。
【課題を解決するための手段】
【０００８】
本考案は、浴槽の上部開口を覆うための風呂用蓋に関する。本考案の風呂用蓋は、相隣接する板状部が該板状部の夫々の一主面が略平面となるよう連結部を介して連結され、且つ相隣接する板状部が前記一主面側に前記連結部を支点として折り畳める、少なくとも二つ以上の連結部を備える。本考案の風呂用蓋において、少なくとも一つの連結部は他の連結部よりも前記板状部の連結方向に長く、前記板状部の連結方向に長い連結部と該連結部を支点として折り畳まれる相隣接する板状部によって収納スペースが形成される、ことを特徴とする。
【０００９】
本考案の風呂用蓋において好ましくは、前記収納スペースを形成する相隣接する板状部の夫々の前記一主面を対向させたときの間隔を５０ｍｍ以上とすることができる、ことを特徴とするように構成することができる。
【００１０】
また、本考案の風呂用蓋において好ましくは、前記板状部の連結方向に長い連結部は、前記板状部の連結方向の端に位置する、ことを特徴とするように構成することができる。
【００１１】
また、本考案の風呂用蓋において好ましくは、前記収納スペースを形成する相隣接する板状部の一方及び／又は他方の板状部の側面に着脱可能に設けられるカバーであって、前記収納スペースを側方から塞ぐカバーをさらに含む、をさらに備える、ことを特徴とするように構成することができる。
【考案の効果】
【００１２】
本考案の風呂用蓋によれば、相隣接する板状部を夫々の一主面が略平面となるよう連結部を介して連結して全ての板状部が並列する状態（風呂用蓋を広げた状態）とすることにより浴槽の上部開口を覆うことができる一方、入浴の際には相隣接する板状部を前記一主面側に連結部を支点として折り畳んで全ての板状部が積層する状態（風呂用蓋をコンパクトに畳んだ状態）とすることで浴槽上に横置きすることができる。そして、風呂用蓋を畳んだ際には、板状部の連結方向に長い連結部と該連結部を支点として折り畳まれる相隣接する板状部により風呂用蓋に収納スペースが形成されるため、この収納スペースに例えばパジャマ、ルームウェア、下着等の着替え用の衣服やタオル等を収納することができる。これにより、風呂上がりに浴室を出る前に、風呂用蓋の収納スペースからタオルや着替え用の衣服を取り出して、浴室内でタオルにより身体の水分を拭きとった後、衣服を着衣することができる。浴室内は湯気等で比較的暖かい状態であるため、風呂上がりに寒暖差なく着替えることができ、着衣の状態で浴室から脱衣室に移動できるため、脱衣室が寒くてもヒートショックの発生を抑制することができる。
【００１３】
加えて、風呂用蓋の収納スペースはこれを形成する相隣接する板状部により上方及び下方が覆われているため、入浴中にシャワーを使用した際にシャワーの水が飛び散っても該板状部により水が収納スペースの着替え用の衣服等にかかることが妨げられる。よって、入浴中に着替え用の衣服等が水で濡れないようにすることができる。なお、風呂用蓋は、入浴時は通常、浴槽上の隅に配置されるので、シャワーの水が収納スペースに飛び散ちる可能性も低い。
【００１４】
また、本考案の風呂用蓋は、板状部の連結方向に長い連結部を板状部の連結方向の端に位置させるように構成することで、風呂用蓋を畳んだ際にできる収納スペースは、板状部の連結方向の端に位置する相隣接する板状部の折り畳みにより形成される。よって、収納スペースを風呂用蓋の最上部に位置させることができるので、風呂上がりに収納スペースの上方を覆う板状部を開く動作だけで着替え用の衣服等を容易に取り出すことができる。
【００１５】
また、本考案の風呂用蓋は、収納スペースを形成する相隣接する板状部の側面にカバーを取り付け、カバーにより収納スペースを側方から塞ぐように構成することで、入浴時に収納スペースの側方から収納スペースに水が浸入することを妨げることができる。よって、入浴中に着替え用の衣服等が水で濡れることをより確実に抑制することができる。
【図面の簡単な説明】
【００１６】
【図１】本実施形態の風呂用蓋の展開状態における斜視図である。
【図２】図１の側面図である。
【図３】本実施形態の風呂用蓋の折り畳み状態における斜視図である。
【図４】図３の側面図である。
【図５】本実施形態の風呂用蓋の使用状態を示す側面図である。
【図６】一変形例の風呂用蓋の展開状態における側面図である。
【図７】他の変形例の風呂用蓋の折り畳み状態における側面図である。
【図８】図７に示す風呂用蓋におけるカバーの着脱手段の（Ａ）一例、（Ｂ）他の一例の概略構成を示す図である。
【図９】図７に示す風呂用蓋の使用状態を示す側面図である。
【考案を実施するための形態】
【００１７】
以下、本考案の実施形態について、添付図面を参照して説明する。図１〜図４は、本考案の一実施形態である風呂用蓋１を示している。本実施形態の風呂用蓋１は、浴槽に溜めたお湯の温度の低下を抑制するために用いることができるとともに、風呂上がりのヒートショックの発生を抑制するために好適に用いることができるものである。
【００１８】
風呂用蓋１は、少なくとも二つ以上の板状部２と、少なくとも二つ以上の連結部３とを備える。相隣接する板状部２の間に連結部３が位置し、相隣接する板状部２が連結部３により折り曲げ可能に連結されている。
【００１９】
なお、本開示では、板状部２において、上下の主面を表面２０及び裏面２１とし、板状部の連結方向に沿う両側の面を側面２２，２３とし、板状部の連結方向と直角に交わる一対の面を端面２４，２５とする。
【００２０】
相隣接する板状部２が、夫々の一主面が略平面となるよう連結部３を介して連結されることにより、風呂用蓋１は、図１及び図２に示すように、全ての板状部２が並列した略平板状に広がる状態となり、浴槽１０（図５に示す）の上部開口を覆うことが可能である。
【００２１】
ここで「夫々の一主面が略平面となる」とは、相隣接する板状部２の夫々の一主面が板状部の連結方向に同一平面となるよう連結部３をおいて並ぶことを意味し、平坦な一主面同士が並んでもよいし、凹凸のある一主面同士が並んでもよいし、平坦な一主面と凹凸のある一主面が並んでもよい。
【００２２】
また「一主面」とは、板状部２の上下の主面（表面２０及び裏面２１）の一方の面を指し、相隣接する板状部２の夫々の一主面は、板状部の連結方向に沿って表面２０と裏面２１が交互に入れ替わる。例えば本実施形態では、図１及び図２に示すように、板状部の連結方向の左端にある板状部２とその隣の左端から２番目の板状部２とによる相隣接する板状部２では裏面２１が一主面をなし、左端から２番目の板状部２と３番目の板状部２とによる相隣接する板状部２では表面２０が一主面をなし、左端から３番目の板状部２と４番目の板状部２とによる相隣接する板状部２では再び裏面２１が一主面をなしている。なお、本実施形態では、相隣接する板状部２の夫々の他主面（一主面の反対側の面）についても略平面となっている。
【００２３】
一方、相隣接する板状部２が一主面側に連結部３を支点として折り畳まれることにより、つまりは、相隣接する板状部２が板状体２の連結方向に沿って連結部３において山折りと谷折りが交互に繰り返し行われることにより、風呂用蓋１は、図３及び図４に示すように、全ての板状部２が蛇腹状に積層したコンパクトに畳まれた状態となる。これにより、風呂用蓋１は、図５に示すように、浴槽１０上に横置きすることが可能である。
【００２４】
板状部２は、所定の厚みを有する板状をなしており、平面視で矩形状（図示例では長方形状）を呈している。板状部２の寸法は、浴槽１０の大きさ；風呂上がりのヒートショックの発生抑制のために浴室内に持ち込む着替え用の衣服（例えばパジャマ、ルームウェア、下着等）、タオル、バスマット等（以下、「収納物１１」という。）の大きさ；板状部２の枚数等に応じて適宜設定される。
【００２５】
具体的に、板状部２の長さＬ（図１に示す）は、浴槽１０上に掛け渡すことができる大きさであれば特に限定されない。板状部２の幅Ｗ（図２に示す）は、風呂用蓋１を畳んだ際（全ての板状部２を積層させた際）に、図３及び図４に示すように、１枚の板状部２の上に収納物１１を載置することができる大きさであれば特に限定されないが、例えば３００ｍｍ以上であることが好ましい。板状部２の枚数は、２枚以上であれば特に限定されず、風呂用蓋１を広げた際（全ての板状部２を並列させた際）に浴槽１０の上部開口を覆うことができるように、浴槽１０の大きさや板状部２の幅Ｗに応じて適宜決めることができる。
【００２６】
板状部２は、本体４及びキャップ５を含んでいる。本体４は、長さ方向に対して垂直な断面が例えば長方形状や台形状を呈する筒状をなしている。本体４は、硬質の合成樹脂やＦＲＰ、アルミニウム等の軽量の金属等、従来公知の材料で形成することができる。本体４の内部には補強用のリブを１つ又は複数設けることができる。キャップ５は、本体４の長さ方向両端の開口を塞いでいる。キャップ５は、本体４の長さ方向両端に例えば嵌合により取り付けることができる。本体４に対してキャップ５を嵌合する手段としては従来公知の嵌合手段を用いることができる。キャップ５は、例えば硬質の合成樹脂により形成することができる。
【００２７】
連結部３は、例えば板状部２よりも厚みが薄くかつ可撓性を有するシート状をなしており、軟質の熱可塑性樹脂により形成することができる。連結部３は、帯状を呈していて板状部２の長さＬとほぼ同じ長さを有しており、一つの連結部３で板状部２の長さ方向のほぼ全長にわたって相隣接する板状部２を連結している。
【００２８】
連結部３は、相隣接する板状部２に例えば溶着等の接着により固定されることで、相隣接する板状部２を連結することができる。連結部３は、図１及び図２に示すように、相隣接する板状部２の端面２４，２５に固定されていてもよいし、図６に示すように、相隣接する板状部２の一主面（表面２０又は裏面２１）に固定されていてもよい。連結部３が相隣接する板状部２の端面２４，２５に固定される場合、図１及び図２に示すように、一主面（表面２０又は裏面２１）寄りの位置に固定されてもよいし、図示は省略するが板状部２の厚み方向中央位置に固定されていてもよい。連結部３が相隣接する板状部２の一主面（表面２０又は裏面２１）に固定される場合、図６に示すように、連結部３の幅方向両側部だけが一主面（表面２０又は裏面２１）に固定されてもよいし、連結部３の略全部が相隣接する板状部２に跨るようにして一主面（表面２０又は裏面２１）に固定されていてもよい。連結部３の両側部だけが相隣接する板状部２に固定されると、相隣接する板状部２は間に間隔を有する状態で連結され、連結部３の略全部が相隣接する板状部２に固定されると、相隣接する板状部２は間に間隔がほぼ無い状態で連結される。
【００２９】
連結部３は、図２に示すように、少なくとも一つの連結部３Ａがその他の連結部３Ｂよりも板状部の連結方向に長い。つまり、板状部の連結方向に長い連結部３Ａの相隣接する板状部２間の長さＨ１がその他の連結部３Ｂの相隣接する板状部２間の長さＨ２よりも長い。これにより、板状部の連結方向に長い連結部３Ａで連結される相隣接する板状部２の間隔がその他の連結部３Ｂで連結される相隣接する板状部２の間隔よりも大きくなる。よって、風呂用蓋１を畳んだ際の風呂用蓋１には、図３及び図４に示すように、板状部の連結方向に長い連結部３Ａと該連結部３Ａを支点として折り畳まれる相隣接する板状部２によって、大きな収納スペース６が形成される。なお、その他の連結部３Ｂと該連結部３Ｂを支点にして折り畳まれる相隣接する板状部２によっては、スペースがほぼ形成されない又は小さなスペースしか形成されない。
【００３０】
この収納スペース６の高さ（上述の板状部の連結方向に長い連結部３Ａの相隣接する板状部２間の長さＨ１に相当）は、収納スペース６に収納物１１を収納することができる大きさであれば特に限定されないが、収納物１１を重ねて収納できるように、収納スペース６を形成する相隣接する板状部２の夫々の一主面を対向させたときの間隔、つまりは互いに向き合う一主面同士を平行としたときの間隔として例えば５０ｍｍ以上とすることができることが好ましい。一方で収納スペース６の高さＨ１の上限は１５０ｍｍ以下であることが好ましいが、１５０ｍｍ以下に限定されない。
【００３１】
板状部の連結方向に長い連結部３Ａは、特に限定されないが、板状部の連結方向の端に位置することが好ましい。これにより、収納スペース６は、板状部の連結方向の端に位置する相隣接する板状部２の折り畳みにより形成される。よって、風呂用蓋１を畳んだ際に、図３及び図４に示すように、収納スペース６を風呂用蓋１の最上部に位置させることができるので、収納スペース６に収納されている収納物１１を、収納スペース６の上方を覆う板状部２を単に開くだけで取り出すことができる。
【００３２】
以上に説明した本実施形態の風呂用蓋１によれば、風呂用蓋１を広げた状態とすることにより浴槽１０の上部開口を覆うことができる一方、入浴の際には風呂用蓋１をコンパクトに畳んだ状態とすることで、図５に示すように浴槽１０上に横置きすることができる。そして、風呂用蓋１を畳んだ際には、板状部の連結方向に長い連結部３Ａと該連結部３Ａを支点にして折り畳まれる相隣接する板状部２により風呂用蓋１に収納スペース６が形成されるため、この収納スペース６に着替え用の衣服やタオル、バスマット等の収納物１１を収納することができる。これにより、風呂上がりに浴室を出る前に、風呂用蓋１の収納スペース６から収納物１１を取り出して、浴室内でバスマットを敷き、バスマットの上でタオルにより身体の水分を拭きとった後、衣服を着衣することができる。浴室内は湯気等で比較的暖かい状態であるため、風呂上がりに寒暖差なく着替えることができ、着衣の状態で浴室から脱衣室に移動できるため、脱衣室が寒くてもヒートショックの発生を抑制することができる。
【００３３】
加えて、風呂用蓋１の収納スペース６はこれを形成する相隣接する板状部２により上方及び下方が覆われているため、入浴中に洗い場１２でシャワーを使用した際にシャワーの水が浴槽１０側に飛び散っても該板状部２により水が収納スペース６の収納物１１にかかることが妨げられる。よって、入浴中に収納物１１が水で濡れないようにすることができる。なお、風呂用蓋１は、入浴時は通常、浴槽１０上の隅に配置されるので、シャワーの水が収納スペース６に飛び散ちる可能性も低い。
【００３４】
また、本実施形態の風呂用蓋１は、板状部の連結方向に長い連結部３Ａが板状部の連結方向の端に位置しているので、風呂用蓋１を畳んだ際にできる収納スペース６が風呂用蓋１の最上部に位置する。よって、風呂上がりに収納スペース６の上方を覆う板状部２を開く動作だけで、収納スペース６に収納されている収納物１１を容易に取り出すことができる。
【００３５】
以上、本発明の実施形態について説明したが、本発明の具体的な態様は上述した実施形態に限定されるものではなく、その趣旨を逸脱しない範囲で種々の変形が可能である。
【００３６】
例えば変形例として、上述した実施形態及び変形例では、連結部３は可撓性を有するシート状をなしているが、相隣接する板状部２を連結部３を支点にして折り畳むことができれば、その形状や構造等は特に限定されず、種々の形状や構造等を採用することができる。
【００３７】
他の変形例として、上述した実施形態及び変形例では、板状部２は平面視矩形状をなすとともに本体４及びキャップ５で構成されているが、板状部２の具体的な形状や構造等は特に限定されず、折り畳み可能な風呂用蓋に用いられる従来公知の板状部の形状や構造等を採用することができる。
【００３８】
他の変形例として、上述した実施形態及び変形例において、入浴時に収納スペース６への水の浸入を抑制するためのカバーを風呂用蓋１が備えるように構成してもよい。例えば図７及び図８に示すように、風呂用蓋１を畳んだ際に収納スペース６を形成する相隣接する板状部２の一方（図示例では上方）の板状部２の側面２２（浴槽１０上に横置きされた際に洗い場１２側を向く面）にカバー７を着脱可能に設けることができる。この板状部２の側面２２に取り付けられたカバー７によって、図９に示すように、風呂用蓋１を畳んで浴槽１０上に横置きした際に、収納スペース６を洗い場１２側の側方から塞ぐことができる。これにより、入浴中に洗い場１２でシャワーを使用した際にシャワーの水が浴槽１０側に飛び散っても、カバー７により水が収納スペース６の側方から収納スペース６に浸入することを妨げることができる。よって、入浴中に収納物１１が水で濡れることをより確実に抑制することができる。
【００３９】
カバー７を板状部２２の側面に着脱可能とする手段としては、例えば図８（Ａ）に示すように、カバー７の上端部を鉤状に折り曲げて突起部７０を形成するとともに板状部２の側面２２に突起部７０を係脱可能なＬ字型の受部７１を設けて、受部７１に突起部７０を引っ掛けることによりカバー７を板状部２２の側面に取り付けることができる。あるいは図８（Ｂ）に示すように、板状部２の側面２２に少なくとも一つの板状又は棒状の突起７３を設けるとともにカバー７の上端部に突起７３を出し入れ可能な差込孔７２を形成して、差込孔７２に突起７３を差し込むことによりカバー７を板状部２２の側面に取り付けることができる。なお、カバー７を板状部２２の側面に着脱可能とする手段としては、上述した例に特に限定されず、種々の従来公知の手段を採用することができる。
【００４０】
図７及び図８の例では、カバー７は収納スペース６を形成する相隣接する板状部２の一方（上方）の板状部２の側面２２に着脱可能に設けられているが、相隣接する板状部２の他方（下方）の板状部２の側面２２に着脱可能に設けられるように構成してもよいし、相隣接する板状部２の両方の板状部２の側面２２に着脱可能に設けられるように構成してもよい。
【００４１】
またカバー７は、収納スペース６に水が浸入することを抑制できるのであれば、図７及び図８の例の形状や構造等に特に限定されず、種々の形状や構造等を採用することができる。
【符号の説明】
【００４２】
１    風呂用蓋
２    板状部
３    連結部
３Ａ  板状部の連結方向に長い連結部  ３Ｂ  その他の連結部
６    収納スペース
７    カバー
【図１】
0003229822.tif 000003
【図２】
0003229822.tif 000004
【図３】
0003229822.tif 000005
【図４】
0003229822.tif 000006
【図５】
0003229822.tif 000007
【図６】
0003229822.tif 000008
【図７】
0003229822.tif 000009
【図８】
0003229822.tif 000010
【図９】
0003229822.tif 000011